(57)【要約】【課題】レンズ駆動アダプタを、様々なレンズ鏡筒に汎用的に装着し、着脱を容易とする。【解決手段】レンズ駆動アダプタ１は、レンズ鏡筒２の操作部材２０２を駆動する駆動部１０６，１１０と、アダプタ本体１０１とを有する。アダプタ本体は、レンズ鏡筒の外周面の周方向２箇所に当接可能な当接部１１４ａ，１１４ｂと、レンズ鏡筒の上記周方向２箇所を挟む周方向両側の２箇所のうち一方の第１の被係合部２０１ａに係合可能な係合部１０８と、該２箇所のうち他方の第２の被係合部２０１ｂに係合可能であり、アダプタ本体に対して移動可能な可動係合部材１０７とを有する。当接部がレンズ鏡筒の外周面に当接した状態で係合部が第１の被係合部に係合し、可動係合部材が第２の被係合部に係合する位置に移動することに応じて、アダプタ本体はレンズ鏡筒に対して引き寄せられる。【選択図】図１
2016218235.tif 000002
【特許請求の範囲】
【請求項１】
操作部材を備えたレンズ鏡筒に対して取り外し可能に装着されるレンズ駆動アダプタであって、
前記操作部材を駆動する駆動部と、
該駆動部を保持するアダプタ本体とを有し、
前記アダプタ本体は、
前記レンズ鏡筒の外周面における周方向２箇所に当接可能な第１の当接部および第２の当接部と、
前記レンズ鏡筒における前記周方向２箇所を挟む周方向両側の２箇所のうち一方に設けられた第１の被係合部に係合可能な係合部と、
前記周方向両側の２箇所のうち他方に設けられた第２の被係合部に係合可能であり、前記アダプタ本体に対して移動可能な可動係合部材と、
前記第１および第２の当接部が前記レンズ鏡筒の前記外周面に当接した状態で前記係合部が前記第１の被係合部に係合し、前記可動係合部材が前記第２の被係合部に係合する位置に移動することに応じて、前記アダプタ本体を前記レンズ鏡筒に対して引き寄せる力を発生させる引き寄せ機構とを有することを特徴とするレンズ駆動アダプタ。
【請求項２】
前記可動係合部材を前記第２の被係合部に係合する位置と係合しない位置とに移動させる係合操作機構を有することを特徴とする請求項１に記載のレンズ駆動アダプタ。
【請求項３】
前記レンズ鏡筒に装着された状態での前記レンズ鏡筒の光軸に直交する面内において、
前記係合部が該第１の係合部から受ける力の方向を第１の方向とし、前記可動係合部材が該第２の被係合部から受ける力の方向を第２の方向とし、前記第１および第２の当接部がそれぞれ該外周面から受ける力の合力の方向を第３の方向とするとき、
前記第１の方向および前記第２の方向がそれぞれ前記第３の方向に対してなす劣角側の角度が９０度より大きいことを特徴とする請求項１または２に記載のレンズ駆動アダプタ。
【請求項４】
前記劣角側の角度が、１１５°以上、１５５°以下であることを特徴とする請求項３に記載のレンズ駆動アダプタ。
【請求項５】
前記レンズ鏡筒に装着された状態での前記レンズ鏡筒の光軸に直交する面内において、
前記係合部および前記可動係合部材がそれぞれ前記第１および第２の被係合部と係合する位置が、前記光軸を中心とする１８０度より小さい角度範囲内にあることを特徴とする請求項１か４のいずれか一項に記載のレンズ駆動アダプタ。
【請求項６】
前記レンズ鏡筒に装着された状態での前記レンズ鏡筒の光軸に直交する面内において、
前記光軸を含み、前記第１および第２の当接部の中間を通る面を中間面とするとき、
前記第１の当接部および前記係合部と、前記第２の当接部および前記可動係合部材とがそれぞれ、前記中間面に関して対称に配置されていることを特徴とする請求項１から５のいずれか一項に記載のレンズ駆動アダプタ。
【請求項７】
前記駆動部は、前記レンズ鏡筒の前記操作部材に噛み合う又は当接する駆動部材を有し、
前記駆動部材と前記第１および第２の当接部のうち一方とが、該レンズ駆動アダプタが前記レンズ鏡筒に装着された状態での前記レンズ鏡筒の光軸に沿った方向に並んで配置されていることを特徴とする請求項１から６のいずれか一項に記載のレンズ駆動アダプタ。
【発明の詳細な説明】
【技術分野】
【０００１】
本発明は、レンズ鏡筒に取り外し可能に装着されて該レンズ鏡筒の操作部材を駆動するレンズ駆動アダプタに関する。
【背景技術】
【０００２】
レンズ鏡筒には、ユーザよるマニュアルズーム操作やマニュアルフォーカス操作用の操作リング等の操作部材を備えたものがある。このような操作部材を、アクチュエータを用いて電動駆動するために、レンズ鏡筒の外周に取り外し可能に装着されるレンズ駆動アダプタが提案されている。
【０００３】
特許文献１には、レンズ鏡筒の外周に２本のビスを締め込むことによって取り付けるレンズ駆動アダプタが開示されている。
【先行技術文献】
【特許文献】
【０００４】
【特許文献１】特開２００７−１０８３７３号公報
【発明の概要】
【発明が解決しようとする課題】
【０００５】
しかしながら、特許文献１にて開示されたレンズ駆動アダプタのようにビスを用いてレンズ鏡筒に取り付ける方法では、工具（ドライバー）が必要であり、しかも２本のビスに対して締め込み作業を行う必要があるために、着脱が容易ではない。また、特許文献１にて開示されたレンズ駆動アダプタは、装着できるレンズ鏡筒の外径が限定されるが、レンズ鏡筒には様々な外径を有するものがあり、これら外径が異なる様々なレンズ鏡筒に対して汎用的に装着できることが望ましい。
【０００６】
本発明は、外径が異なる様々なレンズ鏡筒に対して汎用的に装着でき、しかも着脱が容易なレンズ駆動アダプタを提供する。
【課題を解決するための手段】
【０００７】
本発明の一側面としてのレンズ駆動アダプタは、操作部材を備えたレンズ鏡筒に対して取り外し可能に装着される。該レンズ駆動アダプタは、操作部材を駆動する駆動部と、該駆動部を保持するアダプタ本体とを有する。アダプタ本体は、レンズ鏡筒の外周面における周方向２箇所に当接可能な第１の当接部および第２の当接部と、レンズ鏡筒における上記周方向２箇所を挟む周方向両側の２箇所のうち一方に設けられた第１の被係合部に係合可能な係合部と、上記周方向両側の２箇所のうち他方に設けられた第２の被係合部に係合可能であり、アダプタ本体に対して移動可能な可動係合部材と、第１および第２の当接部がレンズ鏡筒の外周面に当接した状態で係合部が第１の被係合部に係合し、可動係合部材が第２の被係合部に係合する位置に移動することに応じて、アダプタ本体をレンズ鏡筒に対して引き寄せる力を発生させる引き寄せ機構とを有することを特徴とする。
【発明の効果】
【０００８】
本発明によれば、外径が異なる様々なレンズ鏡筒に対して汎用的に装着することができるだけでなく、着脱も容易なレンズ駆動アダプタを実現することができる。
【図面の簡単な説明】
【０００９】
【図１】本発明実施例であるレンズ駆動アダプタとレンズ鏡筒を示す斜視図。
【図２】実施例のレンズ駆動アダプタの内部構成を示す斜視図。
【図３】実施例のレンズ駆動アダプタのレンズ装着面側の構成を示す斜視図。
【図４】上記レンズ鏡筒を示す斜視図。
【図５】実施例のレンズ駆動アダプタのレンズ鏡筒に対する着脱を説明する図。
【図６】実施例のレンズ駆動アダプタがレンズ鏡筒から受ける力の関係を示す図。
【発明を実施するための形態】
【００１０】
以下、本発明の実施例について図面を参照しながら説明する。
【００１１】
図１には、本発明の実施例であるレンズ駆動アダプタ１と、該レンズ駆動アダプタ１が装着される交換レンズとしてのレンズ鏡筒２と、該レンズ鏡筒２が装着されたレンズ交換式デジタルカメラ３とを示している。図２および図３にはそれぞれ、レンズ駆動アダプタ１をその裏面側およびレンズ装着面側から見て示している。
【００１２】
図１に示すレンズ鏡筒２の内部には、複数のレンズ群および絞りを含む撮影光学系が収容されている。一方、レンズ鏡筒２の外周面２０１上には、操作部材としてのレンズ操作リング２０２が設けられている。レンズ操作リング２０２は、レンズ鏡筒２の光軸を中心として回転が可能である。このレンズ操作リング２０２の回転に応じて、撮影光学系に含まれる複数のレンズ群のうちいずれかのレンズ群を光軸に沿った方向（光軸方向）に移動させ、焦点距離を変化させたり焦点調節を行ったりすることができる。
【００１３】
図１〜図３に示すレンズ駆動アダプタ１は、レンズ鏡筒２に対して取り外し可能である。１０１はレンズ駆動アダプタ１の本体（アダプタ本体）を構成するケースである。１０２はケース１０１の裏面側に着脱されるカバーである。図２は、このカバー１０２をケース１０１から取り外して示している。
【００１４】
１０３はケース１０１の外側面に設けられた操作スイッチである。１０４はレンズ駆動アダプタ１の電源をオン／オフするための電源スイッチである。１０６はケース１０１内にて該ケース１０１により保持された駆動部である。駆動部１０６は、ＤＣモータ、圧電素子、ステッピングモータ等の駆動源と、後述するリング駆動ギア１１０と、駆動源にて発生された駆動力をリング駆動ギア１１０に伝達するギアやプーリー等の伝達部材により構成される駆動伝達機構等とを含む。
【００１５】
１１２は駆動制御部であり、操作スイッチ１０３の操作に応じて、駆動源の駆動方向、駆動速度、駆動時間等を制御する。駆動部材としてのリング駆動ギア１１０は、図１に示すレンズ鏡筒２に装着された状態でレンズ駆動リング２０２に設けられた被駆動ギア２０２１に噛み合う。このため、リング駆動ギア１１０が駆動源からの駆動力により回転すると、レンズ駆動リング２０２が回転駆動される。なお、本実施例では、駆動部材としてリング駆動ギア１１０を用いているが、駆動部材として、リング駆動ギア１１０に当接してこれを駆動するローラーやベルト等の他の駆動部材を用いてもよい。１０９はバッテリである。なお、レンズ駆動用アダプタ１がレンズ鏡筒２やカメラ３から電源供給を受ける場合はバッテリ１０９は不要である。
【００１６】
図３において、１０１ａはケース１０１におけるレンズ装着面であり、レンズ鏡筒２の外周面と干渉しないように凹円弧曲面として形成されている。レンズ装着面１０１ａは、図１に示すようにレンズ駆動アダプタ１がレンズ鏡筒２に装着されたときにレンズ鏡筒２の外周面に沿う面である。以下の説明において、このレンズ装着面１０１ａに沿って配置されるレンズ鏡筒２の周方向に対応する方向を、レンズ駆動アダプタ１でも周方向という。また、レンズ装着面１０１ａに沿って配置されるレンズ鏡筒２の光軸方向に対応する方向を、レンズ駆動アダプタ１でも光軸方向という。
【００１７】
１１４ａ，１１４ｂはケース１０１におけるレンズ装着面１０１ａにおける周方向２箇所に設けられた２つの突起部としての当接部（第１の当接部および第２の当接部）であるり、後述するレンズ鏡筒２の当接受け面に当接可能である。本実施例では、当接部１１４ａ，１１４は円弧曲面（部分円筒面）形状を有する。また、図３に一点鎖線で示すように、一方の当接部１１４ａと前述したリング駆動ギア１１０とは光軸方向に並んで（言い換えれば、当接部１１４ａの円弧曲面の頂点とリング駆動ギア１１０の頂点とが周方向同位置に位置するように）設けられている。このことは、図５（ａ）にも示している。
【００１８】
１０８は当接部１１４ａ，１１４ｂを挟む周方向両側（当接部１１４ａ，１１４ｂよりも周方向外側の両側）の２箇所のうち一方にてレンズ装着面１０１ａから一部が突出するように設けられた固定係合部材（係合部）である。なお、本実施例では、固定係合部材１０８をケース１０１とは別部材として作り、ケース１０１に対してビスで固定しているが、固定係合部材１０８の形状に相当する形状をケース１０１に一体成形することで係合部を設けてもよい。
【００１９】
１０７は当接部１１４ａ，１１４ｂを挟む周方向両側の２箇所のうち他方にてレンズ装着面１０１ａから一部が突出するように、かつケース１０１に対して移動可能に設けられた可動係合部材である。１０５はユーザにより回転操作が可能な操作部材としてのロック操作ねじである。ロック操作ねじ１０５を回転操作することで、可動係合部材１０７のレンズ装着面１０１ａからの突出量を増減させる（言い換えれば可動係合部材１０７をレンズ鏡筒２の後述する第２の被係合部に係合する位置と係合しない位置とに移動させる）ことができる。
【００２０】
図４には、レンズ鏡筒２の外周面（以下、レンズ外周面という）２０１のうち図１のように該レンズ鏡筒２に装着されたレンズ駆動アダプタ１のレンズ装着面１０１ａに対向する部分を示している。レンズ外周面２０１において、２０１ｃはレンズ駆動アダプタ１の当接部１１４ａ，１１４ｂが周方向２箇所で当接する当接受け面である。２０１ａはレンズ駆動アダプタ１の固定係合部材１０８が係合可能な凹部（第１の被係合部）であり、２０１ｂは可動係合部材１０７が係合可能な凹部（第２の被係合部）である。これら凹部２０１ａ，２０１ｂは、当接受け面２０１ｃにレンズ駆動アダプタ１の当接部１１４ａ，１１４ｂが当接する周方向２箇所を挟む周方向両側の２箇所に設けられている。
【００２１】
レンズ駆動アダプタ１の当接部１１４ａ，１１４ｂは三角形のような頂点を有する形状に形成されてもよいが、装着時や落下等による衝撃を受けたときのレンズ外周面２０１の変形を防止するために、先に説明したように円弧曲面形状の方が好ましい。
【００２２】
当接部１１４ａ，１１４ｂは、レンズ操作リング２０２に設けられた被駆動ギア２０２１と同軸のレンズ外周面２０１上に設定された当接受け面２０１ｃに当接し、また上述したように当接部１１４ａとリング駆動ギア１１０とが光軸方向に並んで設けられている。このため、レンズ駆動アダプタ１がそれぞれ外径が異なる様々なレンズ鏡筒に装着されても、リング駆動ギア１１０とそのレンズ鏡筒の被駆動ギア（２０２１）との軸間距離はほぼ一定となる。このため、これらギア１１０，２０２１の噛み合い精度を損なうことなく、レンズ駆動アダプタ１をレンズ鏡筒２に装着することができる。
【００２３】
図５（ａ）には、レンズ駆動アダプタ１とこれが装着されたレンズ鏡筒２の断面（光軸方向に直交する断面であり、以下、ＸＹ断面という）を示している。Ｒ２，Ｒ３は、図１および図４に示したレンズ鏡筒２（ここではレンズ外周面２０１をＲ１で示す）とは外径が異なるレンズ鏡筒の外周面を示している。Ｒ２はレンズ外周面２０１の外径Ｒ１に対して外径が小さなレンズ鏡筒の外周面を示し、Ｒ３はレンズ外周面２０１の外径Ｒ１に対して外径が大きなレンズ鏡筒の外周面を示している。レンズ駆動アダプタ１の当接部１１４ａ，１１４ｂは周方向に離間した２箇所に突起形状を有するように設けられており、異なる外径の外周面Ｒ１，Ｒ２，Ｒ３のいずれにも周方向２箇所で安定的に（つまりはがたつきなく）当接する。そして、外周面Ｒ１，Ｒ２，Ｒ３に当接する当接部１１４ａに対して光軸方向に並んで設けられたリング駆動ギア１１０も、それぞれのレンズ鏡筒の外周面に沿って設けられ被駆動ギア（２０２１）に安定的に噛み合うことができる。
【００２４】
次に、図５（ａ），（ｂ）および図６を用いて、本実施例のレンズ駆動アダプタ１のレンズ鏡筒２に対する着脱方法について説明する。図５（ｂ）には、レンズ鏡筒２に対して完全に装着されていないレンズ駆動アダプタ１のＸＹ断面を示している。
【００２５】
図５（ｂ）において、当接部１１４ａ，１１４ｂはレンズ外周面２０１における当接受け面２０１ｃに当接しており、また固定係合部材１０８はレンズ鏡筒２の凹部２０１ａに係合している。ただし、可動係合部材１０７は、凹部２０１ｂに係合しない位置（以下、非係合位置という）に退避している。
【００２６】
なお、可動係合部材１０７はばね１１３によって非係合位置の方向に常に付勢されており、ロック操作ねじ１０５はケース１０１に固定されたナット１１１に螺合している。ロック操作ねじ１０５がナット１１１に対して締め込まれていない状態では、可動係合部材１０７はばね１１３の付勢力によって非係合位置に保持される。
【００２７】
この状態からユーザがロック操作ねじ１０５をナット１１１に対して締め込むと、ロック操作ねじ１０５とともに可動係合部材１０７はばね１１３を圧縮しながら凹部２０１ｂに係合する位置（以下、係合位置という）まで図中のＸ方向に移動する。これにより、固定係合部材１０８と可動係合部材１０７とによってレンズ鏡筒２が挟持される。  ロック操作部材１０５、ナット１１１およびばね１１３により係合操作機構が構成される。
【００２８】
また、このようにレンズ駆動アダプタ１がレンズ鏡筒２に装着された状態（以下、レンズ装着状態という）でのＸＹ断面内において、光軸ＡＸＬを含み、当接部１１４ａ，１１４ｂの中間を通る面を中間面Ａとする。このとき、当接部１１４ａおよび固定係合部材１０８と、当接部１１４ｂおよび可動係合部材１０７とがそれぞれ、中間面Ａに関して対称に配置されている。
【００２９】
ここで、図６に示すように、レンズ装着状態でのＸＹ断面内において、固定係合部材１０８が凹部２０１ａの内面に対して当接する当接面（係合面）１０８ａは、中間面Ａに平行な方向に対して斜め下向きに傾いた面として形成されている。言い換えれば、当接面１０８ａは、レンズ装着面１０１ｃ側（当接部１１４ａ側）を向くように傾いた面として形成されている。また、可動係合部材１０７が凹部２０１ｂの内面に当接する当接面（係合面）１０７ａも、中間面Ａに平行な方向に対して斜め下向きの、つまりはレンズ装着面１０１ｃ（当接部１１４ｂ）側を向くように傾いた面として形成されている。これらの当接面１０８ａ，１０７ａをレンズ鏡筒２側に延長すると、図６に示すように、レンズ鏡筒２のＸＹ断面内で交差する。これにより、固定係合部材１０８と可動係合部材１０７によりレンズ鏡筒２が挟持されたレンズ装着状態において、ケース１０１をレンズ鏡筒２に対して引き寄せる力が発生する。すなわち、固定係合部材１０８と可動係合部材１０７によって引き寄せ機構が構成される。
【００３０】
本実施例において、ケース１０１の当接部１１４ａ，１１４ｂがレンズ外周面２０１（当接受け面２０１ｃ）から受ける反力をそれぞれＦ１およびＦ２とし、これらＦ１およびＦ２の合力をＦ３とし、Ｆ３の方向をＦ３方向（第３の方向）とする。また、固定係合部材１０８の当接面１０８ａおよび可動係合部材１０７の当接面１０７ａが、つまりはケース１０１が凹部２０１ａ，２０１ｂの内面から受ける反力をそれぞれＦ４およびＦ５とする。そして、Ｆ４およびＦ５の方向をＦ４方向（第１の方向）およびＦ５方向（第２の方向）とする。このとき、Ｆ４方向およびＦ５方向がそれぞれＦ３方向に対してなす劣角側の角度α１，α２は９０度より大きくなるように（つまりは鈍角になるように）設定されている。
【００３１】
このような設定により、レンズ駆動アダプタ１をレンズ鏡筒２に対して力のバランスが良い状態で安定的に装着（固定）することができる。なお、α１，α２は互いに同じであることが好ましいが、多少異なっていてもよい。
【００３２】
また、α１，α２は１１５°以上、１５５°以下の範囲内にて設定することが好ましい。この範囲外の角度に設定すると、上述した力のバランスが崩れ易くなり、レンズ駆動アダプタ１をレンズ鏡筒２に対して安定的に装着することが難しくなるので、好ましくない。
【００３３】
さらに、レンズ装着状態でのＸＹ断面内において、固定係合部材１０８および可動係合部材１０７がそれぞれ凹部２０１ａ，２０１ｂと係合する位置が、光軸ＡＸＬを中心とする１８０度より小さい角度範囲内（図ではβで示す）にある。これにより、周方向においてコンパクトな構成でありながらも、レンズ駆動アダプタ１をレンズ鏡筒２に対して安定的に装着することができる。なお、１８０度より小さい角度範囲βとしては、１２０°以下、さらには９０°以下がより好ましい。本実施例では、６０°である。
【００３４】
本実施例によれば、ロック操作ねじ１０５を操作するだけでレンズ駆動アダプタ１をレンズ鏡筒２に対して安定的に装着することができ、またレンズ駆動アダプタ１をレンズ鏡筒２から取り外すことができる。
【００３５】
そして、本実施例によれば、外径が異なる様々なレンズ鏡筒に対して汎用的に装着することができるだけでなく、着脱も容易なレンズ駆動アダプタ１を実現することができる。
【００３６】
なお、本実施例では、可動係合部材１０７を係合位置と非係合位置との間で移動させる係合操作機構としてユーザにロック操作ねじ１０５の回転操作を行わせる機構について説明した。しかし、係合操作機構としては、このようなねじの回転操作によるものに限らず、ユーザにレバー操作を行わせるものや、ユーザのスイッチ操作に応じたアクチュエータ駆動によるものであってもよい。
【００３７】
さらに、必ずしも可動係合部材１０７を係合位置から非係合位置に移動させる機構としてはユーザの操作を必要とするものでなくてもよい。例えば、ばねによって付勢された可動係合部材をレンズ鏡筒の被係合部に押し付けるだけで可動係合部材が一旦、非係合位置の方向に退避し、ばねの付勢力によって再び係合位置に戻ることで係合が完了するようにしてもよい。また、この場合、固定係合部材１０８をケース１０１に対して固定せず、装着を容易にするために、ばねで付勢してレンズ装着面１０１ａからの突出量が可変となるようにしてもよい。そして、可動係合部材を非係合位置に戻すための操作機構を設ければ、簡単にレンズ駆動アダプタをレンズ鏡筒から取り外すことができる。
【００３８】
以上説明した各実施例は代表的な例にすぎず、本発明の実施に際しては、各実施例に対して種々の変形や変更が可能である。
【符号の説明】
【００３９】
１  レンズ駆動アダプタ
２  レンズ鏡筒
１０１  ケース（アダプタ本体）
１０５  ロック操作ねじ
１０６  駆動部
１０７  可動係合部材
１０８  固定係合部材
１１０  リング駆動ギア
【図１】
2016218235.tif 000003
【図２】
2016218235.tif 000004
【図３】
2016218235.tif 000005
【図４】
2016218235.tif 000006
【図５】
2016218235.tif 000007
【図６】
2016218235.tif 000008